(57)【要約】【課題】本発明は、発光素子に設けられる蛍光体含有樹脂を備えた発光装置に関し、発光素子と配線パターンとの間を電気的に接続する接続部分の破損を防止することのできる発光装置を提供することを課題とする。【解決手段】凹部１７に収容されると共に、配線パターン１９と電気的に接続された発光素子１２の上面１２Ａ及び側面１２Ｃに蛍光体含有樹脂１３を設け、凹部１７の側面１７Ａ及び底面１７Ｂと蛍光体含有樹脂１３とを離間させた。【選択図】図２
2007208136.tif 000002
【特許請求の範囲】
【請求項１】
発光素子と、
蛍光体含有樹脂と、
前記発光素子が配設される基板とを備えた発光装置であって、
前記蛍光体含有樹脂は、前記基板と接触しないように前記発光素子に設けたことを特徴とする発光装置。
【請求項２】
前記基板は、発光素子を収容する凹部を有し、
前記蛍光体含有樹脂と前記凹部の側面及び底面とを離間させたことを特徴とする請求項１記載の発光装置。
【請求項３】
前記凹部は、該凹部の底面から前記発光素子の上面までは略等しい幅とされており、前記発光素子の上面よりも上方は、前記発光素子の上面から上方に向けて幅広となるような形状であることを特徴とする請求項２記載の発光装置。
【請求項４】
前記幅広の形状とされた前記凹部の側面に、前記発光素子が放出する光を反射する反射部材を設けたことを特徴とする請求項１ないし３のうち、いずれか一項記載の発光装置。
【発明の詳細な説明】
【技術分野】
【０００１】
本発明は、発光装置に係り、特に発光素子に設けられる蛍光体含有樹脂を備えた発光装置に関する。
【背景技術】
【０００２】
図１は、従来の発光装置の断面図である。
【０００３】
図１を参照するに、発光装置１００は、基板１０１と、発光素子１０２と、蛍光体含有樹脂１０３とを有する。
【０００４】
基板１０１は、基板本体１０５と、配線パターン１０６とを有する。基板本体１０５は、発光素子１０２を収容するための凹部１０８と、複数の貫通孔１０９とを有する。配線パターン１０６は、基板本体１０５の下面１０５Ａから貫通孔１０９に亘って設けられている。発光素子１０２は、バンプ１１１を介して、配線パターン１０６と電気的に接続されている。
【０００５】
蛍光体含有樹脂１０３は、発光素子１０２の上面１０２Ａ、下面１０２Ｂ、及び側面１０２Ｃを覆うように設けられている。蛍光体含有樹脂１０３は、凹部１０８の底面１０８Ａと発光素子１０２の下面１０２Ｂとの間を充填している。
【０００６】
蛍光体含有樹脂１０３は、透光性樹脂に蛍光体粒子が分散されたものである。透光性樹脂としては、例えば、シリコーン樹脂が用いられる。シリコーン樹脂は、珪素と酸素とが化学結合により交互に連なったポリマーである。シリコーン樹脂は、発光素子１０２から放出される光に含まれる紫外線を通過させる特性を有する。このため、透光性樹脂としてシリコーン樹脂を用いることにより、蛍光体含有樹脂１０３の劣化を抑制することができる（例えば、特許文献１参照。）。
【特許文献１】特開２００５−３１１３１４号公報
【発明の開示】
【発明が解決しようとする課題】
【０００７】
しかしながら、透光性樹脂としてシリコーン樹脂を用いた場合、発光素子１０２が発光する際の発熱によりシリコーン樹脂が熱膨張するため、発光素子１０２と配線パターン１０６とを電気的に接続する接続部分（具体的には、発光素子１０２とバンプ１１１との接続部分、及び配線パターン１０６とバンプ１１１との接続部分）が破損してしまうという問題があった。
【０００８】
そこで本発明は、発光素子と配線パターンとを電気的に接続する接続部分の破損を防止することのできる発光装置を提供することを目的とする。
【課題を解決するための手段】
【０００９】
本発明の一観点によれば、発光素子と、蛍光体含有樹脂と、前記発光素子が配設される基板とを備えた発光装置であって、前記蛍光体含有樹脂は、前記基板と接触しないように前記発光素子に設けたことを特徴とする発光装置が提供される。
【００１０】
本発明によれば、基板と接触しないように発光素子に蛍光体含有樹脂を設けることにより、蛍光体含有樹脂が熱膨張した際、蛍光体含有樹脂が発光素子を変位させることがなくなるため、発光素子と配線パターンとの間を電気的に接続する接続部分の破損を防止できる。
【発明の効果】
【００１１】
本発明によれば、発光素子と配線パターンとの間を電気的に接続する接続部分の破損を防止することができる。
【発明を実施するための最良の形態】
【００１２】
次に、図面に基づいて本発明の実施の形態について説明する。
【００１３】
（第１の実施の形態）
図２は、本発明の第１の実施の形態に係る発光装置の断面図である。図２において、Ｄ１は基板本体１６の上面１６Ａを基準としたときの凹部１７の深さ（以下、「深さＤ１」とする）、Ｈ１は凹部１７の底面１７Ｂから発光素子１２の上面１２Ａまでの高さ（以下、「発光素子１２の高さＨ１」とする）、Ｈ２は凹部１７の底面１７Ｂから蛍光体含有樹脂１３の上面１３Ａまでの高さ（以下、「高さＨ２」とする）をそれぞれ示している。
【００１４】
図２を参照するに、第１の実施の形態の発光装置１０は、基板１１と、発光素子１２と、蛍光体含有樹脂１３とを有する。
【００１５】
基板１１は、基板本体１６と、配線パターン１９とを有する。基板本体１６は、凹部１７と、複数の貫通孔１８とを有する。凹部１７は、基板本体１６の中央付近に形成されている。凹部１７は、発光素子１２を収容するためのものである。凹部１７は、凹部１７の底面１７Ｂからその上方に向けて幅Ｗ１が略等しくなるように構成されている。つまり、凹部１７の側面１７Ａと凹部１７の底面１７Ｂとが成す角度θ１は、略９０°とされている。凹部１７の形状は、例えば、円柱や多角柱（例えば、四角柱）とすることができる。
【００１６】
凹部１７の深さＤ１は、凹部１７の側面１７Ａが発光素子１２の側面１２Ｃを囲むことが可能なように設定されている。具体的には、凹部１７の深さＤ１は、例えば、Ｈ１≦Ｄ１≦Ｈ２となるように設定することができる。
【００１７】
このように、凹部１７の底面１７Ｂと略直交する凹部１７の側面１７Ａにより、発光素子１２の側面１２Ｃを囲むことにより、発光素子１２の下面１２Ｂから放出された光が蛍光体含有樹脂１３を通過することなく、発光装置１０の外部に放出されることを防ぐことが可能となるため、発光装置１０の色度が低下することを抑制できる。
【００１８】
また、角度θ１は、９０°よりも小さくなるように設定してもよい。このように、角度θ１を９０°よりも小さくすることにより、発光素子１２の下面１２Ｂから放出された光が蛍光体含有樹脂１３を透過することなく、発光装置１０の外部に放出される割合が低下するため、発光装置１０の色度の低下をさらに抑制することができる。
【００１９】
複数の貫通孔１８は、凹部１７の形成位置に対応する基板本体１６を貫通するように形成されている。複数の貫通孔１８は、ビア２１を配設するためのものである。
【００２０】
基板本体１６の材料としては、例えば、樹脂、セラミック、アルミナ、シリコン等を用いることができる。なお、基板本体１６の材料としてシリコンを用いた場合、基板本体１６と配線パターン１９との間を絶縁するための絶縁材（図示せず）を基板本体１６と配線パターン１９との間に設ける必要がある。
【００２１】
配線パターン１９は、ビア２１と、配線２２とを有する。ビア２１は、貫通孔１８に設けられている。ビア２１の上端部は、バンプ１４を介して、発光素子１２の電極２４と電気的に接続されている。ビア２１の下端部は、配線２２と接続されている。ビア２１の材料としては、導電金属を用いることができる。ビア２１の材料となる導電金属としては、例えば、Ｃｕを用いることができる。
【００２２】
配線２２は、基板本体１６の下面１６Ｂに設けられている。配線２２は、ビア２１の下端部と接続されている。これにより、配線２２は、ビア２１を介して、発光素子１２の電極２４と電気的に接続される。配線２２は、発光装置１０の外部接続端子としての機能を奏する。配線２２の材料としては、導電金属を用いることができる。配線２２の材料となる導電金属としては、例えば、基板本体１６の下面１６Ｂに、Ｎｉ層、Ａｕ層の順に積層したＮｉ／Ａｕ積層膜を用いることができる。
【００２３】
発光素子１２は、光を放出する素子であり、電極２４を有する。発光素子１２の電極２４は、バンプ１４を介して、ビア２１と電気的に接続されている。つまり、発光素子１２は、ビア２１に対してフリップチップ接続されている。発光装置１０が白色発光する場合、発光素子１２としては、例えば、青色発光する発光ダイオード（ＬＥＤ）素子を用いることができる。
【００２４】
蛍光体含有樹脂１３は、発光素子１２の上面１２Ａ及び側面１２Ｃのみを覆うように設けられている。また、蛍光体含有樹脂１３は、凹部１７の側面１７Ａ及び底面１７Ｂから離間するように配置されている。
【００２５】
このように、蛍光体含有樹脂１３と凹部１７の側面１７Ａ及び底面１７Ｂとを離間させることにより、蛍光体含有樹脂１３が熱膨張した際に発光素子１２が変位させられることがなくなるため、発光素子１２と配線パターン１９との間を電気的に接続する接続部分（具体的には、電極２４とバンプ１４との接続部分、及びバンプ１４とビア２１との接続部分）が破損することを防止できる。
【００２６】
蛍光体含有樹脂１３は、透光性樹脂に蛍光体粒子を含有させた樹脂である。透光性樹脂としては、例えば、シリコーン樹脂を用いることができる。
【００２７】
このように、透光性樹脂としてシリコーン樹脂を用いることにより、発光素子１２から放出される光に含まれる紫外線が蛍光体含有樹脂１３を通過するため、蛍光体含有樹脂１３の劣化を抑制することができる。
【００２８】
発光装置１０が白色発光する場合、蛍光体粒子としては、例えば、黄色発光する蛍光体の粒子を用いることができる。黄色発光する蛍光体としては、例えば、ＹＡＧ蛍光体を用いることができる。
【００２９】
本実施の形態の発光装置によれば、発光素子１２の上面１２Ａ及び側面１２Ｃのみを覆うように蛍光体含有樹脂１３を設け、蛍光体含有樹脂１３と凹部１７の側面１７Ａ及び底面１７Ｂとを離間させることにより、蛍光体含有樹脂１３の熱膨張により発光素子１２が変位させられることがなくなるため、発光素子１２の電極２４と配線パターン１９との間の電気的接続部分（具体的には、電極２４とバンプ１４との接続部分、及びバンプ１４とビア２１との接続部分）の破損を防止することができる。
【００３０】
なお、本実施の形態の発光装置１０において、基板１１上に凹部１７を密閉する透光性部材を設けてもよい。透光性部材の材料としては、例えば、ガラスを用いることができる。
【００３１】
図３は、本実施の形態の第１変形例に係る発光装置の断面図である。図３において、第１の実施の形態の発光装置１０と同一構成部分には同一符号を付す。
【００３２】
図３を参照するに、本実施の形態の第１変形例に係る発光装置３０は、第１の実施の形態の発光装置１０に設けられた蛍光体含有樹脂１３の代わりに蛍光体含有樹脂３１を設けた以外は発光装置１０と同様に構成される。
【００３３】
蛍光体含有樹脂３１は、発光素子１２の上面１２Ａ、下面１２Ｂ、及び側面１２Ｃを覆うように設けられている。蛍光体含有樹脂３１は、凹部１７の側面１７Ａ及び底面１７Ｂから離間するように配置されている。蛍光体含有樹脂３１としては、第１の実施の形態で説明した蛍光体含有樹脂１３と同様なものを用いることができる。
【００３４】
本実施の形態の第１変形例に係る発光装置によれば、発光素子１２の上面１２Ａ、下面１２Ｂ、及び側面１２Ｃを覆うように蛍光体含有樹脂３１を設けると共に、蛍光体含有樹脂３１を凹部１７の側面１７Ａ及び底面１７Ｂから離間させることにより、発光素子１２から放出された光が蛍光体含有樹脂３１を通過した後に発光装置３０の外部に放出されるので、発光装置３０の輝度及び色度を向上させることができる。
【００３５】
また、本実施の形態の第１変形例に係る発光装置３０は、第１の実施の形態の発光装置１０と同様な効果を得ることができる。
【００３６】
なお、本実施の形態の第１変形例に係る発光装置３０において、基板１１上に凹部１７を密閉する透光性部材を設けてもよい。透光性部材の材料としては、例えば、ガラスを用いることができる。
【００３７】
図４〜図１１は、本発明の第１の実施の形態に係る発光装置の製造工程を示す図である。図４〜図１１において、第１の実施の形態の発光装置１０と同一構成部分には同一符号を付す。
【００３８】
始めに、図４に示す工程では、周知の技術を用いて、凹部１７及び複数の貫通孔１８を備えた基板本体１６を形成する。
【００３９】
具体的には、例えば、基板本体１６となる基材（図示せず）に凹部１７及び複数の貫通孔１８の形状に対応したレジスト膜をそれぞれ形成し、これらのレジスト膜をマスクとする異方性エッチングにより、基材（図示せず）をエッチングして凹部１７及び複数の貫通孔１８を形成する。レジスト膜は、凹部１７及び複数の貫通孔１８を形成後に除去する。
【００４０】
凹部１７は、その深さＤ１が、例えば、Ｈ１≦Ｄ１≦Ｈ２（図２参照）となるように形成する。また、凹部１７の側面１７Ａと底面１７Ｂとの成す角度θ１は、９０°に略等しいか、或いは９０°よりも小さくなるようにするとよい。凹部１７の形状は、例えば、円柱や多角柱（例えば、四角柱）とすることができる。
【００４１】
次いで、図５に示す工程では、周知の技術により、複数の貫通孔１８にビア２１を形成し、次いで、基板本体１６の下面１６Ｂに配線２２を形成する。これにより、基板本体１６と、ビア２１及び配線２２からなる配線パターン１９とを備えた基板１１が製造される。
【００４２】
具体的には、例えば、めっき法により貫通孔１８内に導電金属膜（例えば、Ｃｕ膜）を析出成長させてビア２１を形成し、その後、基板本体１６の下面１６Ｂにスパッタ法によりＮｉ層、Ａｕ層を順次積層させたＮｉ／Ａｕ積層膜を形成し、Ｎｉ／Ａｕ積層膜をパターニングして配線２２を形成する。
【００４３】
次いで、図６に示す工程では、発光素子１２の電極２４にバンプ１４を形成し、その後、発光素子１２の下面１２Ｂ及びバンプ１４を覆うようにマスキング材３５を形成する。マスキング材３５は、蛍光体含有樹脂１３が発光素子１２の下面１２Ｂ及びバンプ１４に形成されることを防止するためのものである。マスキング材３５としては、例えば、ポリイミド系樹脂テープを用いることができる。発光装置１０が白色発光する場合、発光素子１２としては、例えば、青色発光する発光ダイオード（ＬＥＤ）素子を用いることができる。
【００４４】
次いで、図７に示す工程では、容器３６内に蛍光体含有樹脂１３を導入する。蛍光体含有樹脂１３としては、透光性樹脂に蛍光体粒子を分散させたものを用いることができる。透光性樹脂としては、例えば、シリコーン樹脂を用いることができる。透光性樹脂としてシリコーン樹脂を用いる場合、容器３６としては、シリコーン樹脂と密着性の悪いものを用いるとよい。シリコーン樹脂と密着性の悪い容器３６としては、具体的には、例えば、テフロン（登録商標）容器を用いることができる。また、容器３６の厚さＭ１は、例えば、０．１ｍｍとすることができる。
【００４５】
発光装置１０が白色発光する場合、蛍光体含有樹脂１３を構成する蛍光体粒子としては、例えば、黄色発光する蛍光体の粒子を用いることができる。黄色発光する蛍光体としては、例えば、ＹＡＧ蛍光体を用いることができる。
【００４６】
次いで、図８に示す工程では、蛍光体含有樹脂１３が導入された容器３６に図６に示した構造体を浸漬させ、その後、蛍光体含有樹脂１３を熱硬化させる。このとき、発光素子１２の下面１２Ｂと蛍光体含有樹脂１３の面１３Ｂとが略面一となるようにする。これにより、発光素子１２の上面１２Ａ及び側面１２Ｃのみを覆うように蛍光体含有樹脂１３が形成される。熱硬化は、例えば、温度が１００℃〜１５０℃、処理時間が１０minの条件を用いることができる。
【００４７】
次いで、図９に示す工程では、マスキング材３５を除去する。具体的には、例えば、マスキング材３５としてポリイミド系樹脂テープを用いた場合、ポリイミド系樹脂テープを剥がし取る。
【００４８】
次いで、図１０に示す工程では、図５に示す構造体の凹部１７に図９に示す構造体を挿入し、バンプ１４とビア２１とをフリップチップ接続する。これにより、発光素子１２と配線パターン１９とが電気的に接続される。バンプ１４とビア２１は、例えば、熱圧着や超音波接合により接続する。また、ビア２１上にはんだ（図示せず）を設けて、このはんだを溶融させてバンプ１４とビア２１とを接続してもよい。
【００４９】
凹部１７は、容器３６の外周面３６Ａと凹部１７の側面１７Ａとが連続して接触するような形状にするとよい。このように、容器３６の外周面３６Ａと凹部１７の側面１７Ａとが連続して接触するように凹部１７を構成することにより、蛍光体含有樹脂１３と凹部１７の側面１７Ａとの間に形成される隙間を小さくして、発光素子１２の下面１２Ｂから放出された光が蛍光体含有樹脂１３を通過することなく、発光装置１０の外部に放出されることを防止することができる。
【００５０】
次いで、図１１に示す工程では、容器３６を除去する。具体的には、バキューム装置等により容器３６を吸着し、吸着した容器３６を引き上げることで、蛍光体含有樹脂１３から容器３６を取り外す。これにより、蛍光体含有樹脂１３と凹部１７の側面１７Ａ及び底面１７Ｂとが離間した発光装置１０が製造される。
【００５１】
なお、本実施の形態の発光装置の製造方法では、容器３６に導入された蛍光体含有樹脂１３に発光素子１２を浸漬させて、発光素子１２に蛍光体含有樹脂１３を形成したが、例えば、インクジェット法により、発光素子１２に直接蛍光体含有樹脂１３を形成してもよい。この場合、容器３６と、容器３６を除去する工程が不要となるため、発光装置１０の製造コストを低減することができる。
【００５２】
（第２の実施の形態）
図１２は、本発明の第２の実施の形態に係る発光装置の断面図である。図１２において、第１の実施の形態の発光装置１０と同一構成部分には同一符号を付す。
【００５３】
図１２を参照するに、第２の実施の形態の発光装置４０は、第１の実施の形態の発光装置１０に設けられた基板１１の代わりに、基板４１を設けた以外は発光装置１０と同様に構成される。
【００５４】
基板４１は、基板本体４２と、配線パターン１９とを有する。基板本体４２は、凹部４４を有する。凹部４４は、基板本体４２の中央付近に設けられており、ビア２１の上面を露出している。発光素子１２は、ビア２１の上面と電気的に接続されている。凹部４４は、凹部４４の底面４４Ａから発光素子１２の上面１２Ａまでは略等しい幅Ｗ２とされており、発光素子１２の上面１２Ａよりも上方は、発光素子１２の上面１２Ａから上方に向けて幅広となるような形状（凹部４４の上端部の幅Ｗ３が幅Ｗ２よりも大きくなるような形状）とされている。
【００５５】
略等しい幅Ｗ２とされた凹部４４の側面４４Ｂは、発光素子１２の側面１２Ｃを囲んでいる。また、凹部４４の底面４４Ａと側面４４Ｂとは略直交しており、凹部４４の側面４４Ｂと底面４４Ａとが成す角度θ２は、略９０°とされている。
【００５６】
このように、凹部４４の底面４４Ａと略直交する凹部４４の側面４４Ｂにより、発光素子１２の側面１２Ｃを囲むことにより、発光素子１２の下面１２Ｂから放出された光が蛍光体含有樹脂１３を透過することなく、発光装置４０の外部に放出されることを防止して、発光装置４０の色度の低下を抑制することができる。
【００５７】
また、角度θ２は、９０°よりも小さくなるように設定してもよい。このように、角度θ２を９０°よりも小さくすることにより、発光素子１２の下面１２Ｂから放出された光が蛍光体含有樹脂１３を通過した後に発光装置４０の外部に放出されるため、発光装置１０の色度の低下をさらに抑制することができる。
【００５８】
略等しい幅Ｗ２とされた凹部４４の側面４４Ｂは、発光素子１２の側面１２Ｃを囲むように配置されている。また、凹部４４の側面４４Ｂと底面４４Ａとは略直交しており、凹部４４の側面４４Ｂと底面４４Ａとが成す角度θ２は、略９０°とされている。
【００５９】
発光素子１２の上面１２Ａから上方に向けて幅広形状とされた凹部４４の側面４４Ｃは、凹部４４の側面４４Ｃと底面４４Ａとが角度θ３を成すような傾斜面とされている。凹部４４の側面４４Ｃは、発光素子１２から放出された光を所定の方向に反射する反射面としての機能を奏する。
【００６０】
このように、凹部４４に発光素子１２の光を所定の方向に反射する側面４４Ｃを設けることにより、発光装置４０の発光効率を向上させることができる。
【００６１】
また、角度θ３は、例えば、３５°〜７０°とすることができる。傾斜角度θ３が７０°よりも大きくなると発光素子１２が放出する光を発光装置４０の外部に良好に反射することが困難となる。また、傾斜角度θ３が３５°よりも小さいと発光装置４０が大型化してしまう。
【００６２】
基板本体４２の材料としては、例えば、樹脂、セラミック、アルミナ、シリコン等を用いることができる。なお、基板本体４２の材料として、シリコンを用いた場合には、基板本体４２と配線パターン１９との間に絶縁材（図示せず）を設ける必要がある。
【００６３】
本実施の形態の発光装置によれば、発光素子１２の上面１２Ａから上方に向けて幅広となるような形状とされた凹部４４を設けることで、凹部４４の側面４４Ｃにより発光素子１２から放出された光を所定の方向に反射することが可能となるため、発光装置４０の発光効率を向上させることができる。
【００６４】
また、本実施の形態の発光装置４０は、第１の実施の形態の発光装置１０と同様な効果を得ることができる。本実施の形態の発光装置４０は、第１の実施の形態の発光装置１０と同様な手法により形成することができる。
【００６５】
なお、本実施の形態の発光装置４０において、基板４１上に凹部４４を密閉する透光性部材を設けてもよい。透光性部材の材料としては、例えば、ガラスを用いることができる。
【００６６】
また、本実施の形態において、第１の実施の形態の変形例の発光装置３０のように発光素子１２の上面１２Ａ，下面１２Ｂ、及び側面１２Ｃを覆うように蛍光体含有樹脂１３を設けてもよい。このように、発光素子１２の上面１２Ａ，下面１２Ｂ、及び側面１２Ｃを覆うように蛍光体含有樹脂１３を設けることにより、発光素子１２から放出された光が蛍光体含有樹脂１３を通過した後に発光装置４０の外部に放出されるため、発光装置４０の輝度及び色度のばらつきを低減することができる。
【００６７】
（第３の実施の形態）
図１３は、本発明の第３の実施の形態に係る発光装置の断面図である。図１３において、第２の実施の形態の発光装置４０と同一構成部分には同一符号を付す。
【００６８】
図１３を参照するに、第３の実施の形態の発光装置５０は、第２の実施の形態の発光装置４０の構成にさらに反射部材５１を設けた以外は発光装置４０と同様に構成される。
【００６９】
反射部材５１は、傾斜面とされた凹部４４の側面４４Ｃを覆うように設けられている。反射部材５１は、発光素子１２から放出された光を所定の方向に効率良く反射するためのリフレクタである。
【００７０】
このように、凹部４４の側面４４Ｃを覆うように反射部材５１を設けることにより、発光素子１２から放出された光を所定の方向に効率良く反射することが可能となるため、発光装置５０の発光効率を向上させることができる。
【００７１】
反射部材５１としては、例えば、金属粒子を溶媒中に分散させた導体ペーストや金属部材を用いることができる。導体ペーストを構成する溶媒としては、例えば、水や有機溶剤、或いは、これらにグリセリンを添加したものを用いることができる。有機溶剤としては、例えば、アルコール、エーテル、キシレン、トルエン等を用いることができる。また、導体ペーストを構成する金属粒子としては、例えば、Ａｕ、Ａｇ、Ａｌ、Ｎｉ、Ｐｄ、Ｐｔの金属うち、少なくとも１種以上の金属からなる粒子を用いることができる。金属粒子の平均粒子径は、例えば、２０ｎｍとすることができる。上記導体ペーストは、例えば、スプレーコート法、インクジェット法、ディスペンス法等の方法により形成することができる。
【００７２】
金属部材としては、例えば、Ａｕ、Ａｇ、Ａｌ、Ｎｉ、Ｐｄ、Ｐｔの金属うち、少なくとも１種以上の金属からなる部材を用いることができる。
【００７３】
本実施の形態の発光装置によれば、凹部４４の側面４４Ｃを覆うように反射部材５１を設けることにより、発光素子１２から放出された光を所定の方向に効率良く反射することが可能となるため、発光装置５０の発光効率を向上させることができる。
【００７４】
また、本実施の形態の発光装置５０は、第２の実施の形態の発光装置４０と同様な効果を得ることができる。さらに、本実施の形態の発光装置５０は、第１の実施の形態の発光装置１０と同様な手法により製造することができる。
【００７５】
なお、本実施の形態の発光装置５０において、基板４１上に凹部４４を密閉する透光性部材を設けてもよい。透光性部材の材料としては、例えば、ガラスを用いることができる。
【００７６】
また、本実施の形態において、第１の実施の形態の変形例の発光装置３０のように発光素子１２の上面１２Ａ，下面１２Ｂ、及び側面１２Ｃを覆うように蛍光体含有樹脂１３を設けてもよい。このように、発光素子１２の上面１２Ａ，下面１２Ｂ、及び側面１２Ｃを覆うように蛍光体含有樹脂１３を設けることにより、発光素子１２から放出された光が蛍光体含有樹脂１３を通過した後に発光装置５０の外部に放出されるため、発光装置５０の輝度及び色度のばらつきを低減することができる。
【００７７】
（第４の実施の形態）
図１４は、本発明の第４の実施の形態に係る発光装置の断面図である。図１４において、第１の実施の形態の発光装置１０と同一構成部分には同一符号を付す。
【００７８】
図１４を参照するに、第４の実施の形態の発光装置６０は、発光素子１２と、蛍光体含有樹脂１３と、基板６１と、透光性部材６３とを有する。
【００７９】
蛍光体含有樹脂１３は、発光素子１２の上面１２Ａ及び側面１２Ｃを覆うように設けられている。発光素子１２は、バンプ１４により、ビア２１に対してフリップチップ接続されている。
【００８０】
基板６１は、基板本体６２と、ビア２１及び配線２２からなる配線パターン１９とを有する。基板本体６２は、板状とされており、複数の貫通孔１８を有する。基板本体６２の材料としては、例えば、樹脂、セラミック、アルミナ、シリコン等を用いることができる。なお、基板本体６２の材料として、シリコンを用いた場合には、基板本体６２と配線パターン１９との間に絶縁材（図示せず）を設ける必要がある。
【００８１】
ビア２１は、貫通孔１８に設けられている。ビア２１の上端部は、発光素子１２と電気的に接続されている。配線２２は、基板本体６２の下面６２Ｂに設けられている。配線２２は、ビア２１の下端部と接続されている。
【００８２】
透光性部材６３は、基板６１上に設けられており、発光素子１２を囲む収容部６４を有する。透光性部材６３は、収容部６４の面６４Ａ，６４Ｂが蛍光体含有樹脂１３と接触しないように配置されている。透光性部材６３の材料としては、例えば、ガラスを用いることができる。
【００８３】
このような構成とされた第４の実施の形態の発光装置６０においても、第１の実施の形態の発光装置１０と同様な効果を得ることができる。また、第４の実施の形態の発光装置６０は、第１の実施の形態の発光装置１０と同様な手法により製造することができる。
【００８４】
なお、本実施の形態の発光装置６０では、基板６１上に透光性部材６３を設けた場合を例に挙げて説明したが、透光性部材６３は設けても設けなくてもどちらでもよい。また、透光性部材６３の形状は、図１４に示す形状に限定されない。
【００８５】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【産業上の利用可能性】
【００８６】
本発明によれば、発光素子と配線パターンとを電気的に接続する接続部分の破損を防止することができる。
【図面の簡単な説明】
【００８７】
【図１】従来の発光装置の断面図である。
【図２】本発明の第１の実施の形態に係る発光装置の断面図である。
【図３】本実施の形態の第１変形例に係る発光装置の断面図である。
【図４】本発明の第１の実施の形態に係る発光装置の製造工程を示す図（その１）である。
【図５】本発明の第１の実施の形態に係る発光装置の製造工程を示す図（その２）である。
【図６】本発明の第１の実施の形態に係る発光装置の製造工程を示す図（その３）である。
【図７】本発明の第１の実施の形態に係る発光装置の製造工程を示す図（その４）である。
【図８】本発明の第１の実施の形態に係る発光装置の製造工程を示す図（その５）である。
【図９】本発明の第１の実施の形態に係る発光装置の製造工程を示す図（その６）である。
【図１０】本発明の第１の実施の形態に係る発光装置の製造工程を示す図（その７）である。
【図１１】本発明の第１の実施の形態に係る発光装置の製造工程を示す図（その８）である。
【図１２】本発明の第２の実施の形態に係る発光装置の断面図である。
【図１３】本発明の第３の実施の形態に係る発光装置の断面図である。
【図１４】本発明の第４の実施の形態に係る発光装置の断面図である。
【符号の説明】
【００８８】
１０，３０，４０，５０，６０  発光装置
１１，４１，６１  基板
１２  発光素子
１２Ａ，１３Ａ  上面
１２Ｂ，１６Ｂ，６２Ｂ  下面
１２Ｃ，１７Ａ，４４Ｂ，４４Ｃ  側面
１３，３１  蛍光体含有樹脂
１３Ａ，６４Ａ，６４Ｂ  面
１４  バンプ
１６，４２，６２  基板本体
１７，４４  凹部
１７Ｂ，４４Ａ  底面
１８  貫通孔
１９  配線パターン
２１  ビア
２２  配線
２４  電極
３５  マスキング材
３６  容器
３６Ａ  外周面
５１  反射部材
６３  透光性部材
６４  収容部
Ｄ１  深さ
Ｈ１，Ｈ２  高さ
Ｍ１  厚さ
Ｗ１〜Ｗ３  幅
θ１〜θ３  角度
【図１】
2007208136.tif 000003
【図２】
2007208136.tif 000004
【図３】
2007208136.tif 000005
【図４】
2007208136.tif 000006
【図５】
2007208136.tif 000007
【図６】
2007208136.tif 000008
【図７】
2007208136.tif 000009
【図８】
2007208136.tif 000010
【図９】
2007208136.tif 000011
【図１０】
2007208136.tif 000012
【図１１】
2007208136.tif 000013
【図１２】
2007208136.tif 000014
【図１３】
2007208136.tif 000015
【図１４】
2007208136.tif 000016